(57)【要約】【課題】  従来の応援用具では、応援に使用する時は良いのであるが、持ち運びなどの際には手を塞いでしまうことが多い。またメガホンやスティックとしての本来の目的にしか使用することが出来ず、他の応援用具との関わりはない。【解決手段】  スティック（１）の握る側の端部に紐通し孔（１０）を開孔し、この紐通し孔（１０）に下げ紐としてのボールチェーン（１１）を通し、このボールチェーン（１１）の端部分にサスペンダークリップ（１２）を取り付けて成る。  このサスペンダークリップ（１２）により長袖口などの挟着対象物を挟み付け得るようにして、挟着対象物にスティック（１）をファッショナブルに取り付ける。【選択図】図１
2016209496.tif 000002
【特許請求の範囲】
【請求項１】
応援用具に、他のものに釣り下がるためのまたは他のものを吊り下げるための、下げ紐を備え、この下げ紐には前記他のものへの止め具が取り付けられている、スポーツ観戦等の応援用具。
【請求項２】
前記応援用具が叩き合わせて音を出すためのペットボトルに取り付ける柄部ある、請求項１に記載のスポーツ観戦等の応援用具。
【請求項３】
前記応援用具が叩き合わせて音を出すためのスティックである、請求項１に記載のスポーツ観戦等の応援用具。
【請求項４】
前記応援用具がメガホンである、請求項１に記載のスポーツ観戦等の応援用具。
【請求項５】
前記他のものが人体または被服である、請求項１に記載のスポーツ観戦等の応援用具。
【請求項６】
前記他のものがバナーである、請求項１に記載のスポーツ観戦等の応援用具。
【請求項７】
前記止め具がクリップである、請求項１に記載のスポーツ観戦等の応援用具。
【発明の詳細な説明】
【技術分野】
【０００１】  本発明は、他のものに釣り下がるための、あるいは他のものを吊り下げるための、スポーツ観戦等の応援用具に関する。
【背景技術】
【０００２】  従来よりスポーツ観戦等の応援用具には、叩き合わせて音を出すためのスティックや、同様に叩き合わせて音を出すための長尺なバルーンや、メガホンや、フラッグやバナー（横断幕）や、ポンポンなど多種多様なものが用いられて来た。スティックがメガホンを兼ねる製品もある。【０００３】  例えば、実登３１６５６９４号は拡声筒に吹き口が取り付けられており、吹き口の側に口を当てて発声すると、その声が拡声口から前方に拡声されるメガホンであり、スポーツ観戦には好適なグッズである。またこのものは拡声筒が内筒とその外側の透明外筒とからなり、吹き口を外して内筒と透明外筒との間の空隙に納められた印刷シートを異なるものに取り替えたり、印刷シートを用いずに内筒に印刷を施しておくものでは、異なる印刷の内筒に取り替えたりすることが出来る。なおこのメガホンを２本用いてスティックとする用法が可能である。【０００４】  また例えば、特開２０１０−０６４７８７号はペットボトルを再利用してその口に握柄を取り付けることにより、打撃応援用具となすものである。近年、スポーツ観戦等に応援具としてスティックを持ち込む人が多く、またペットボトルを携帯していることもあり、ペットボトルをスティックに再利用することは理に適っている。
【先行技術文献】
【特許文献】
【０００５】
【特許文献１】実登３１６５６９４号公報
【特許文献２】特開２０１０−０６４７８７号公報
【発明の概要】
【発明が解決しようとする課題】
【０００６】  しかしながらこれ等には次のような問題点があった。すなわち（イ）応援に使用する時は良いのであるが、持ち運びなどの際には手を塞いでしまうことが多い。（ロ）メガホンやスティックとしての本来の目的にしか使用することが出来ず、他の応援用具との関わりはない。従って本発明はこれらの問題の何れか一を、または双方を解決するためになされるものである。
【課題を解決するための手段】
【０００７】  このため本発明では、応援用具に、他のものに釣り下がるためのまたは他のものを吊り下げるための、下げ紐を備え、この下げ紐には前記他のものへの止め具が取り付けられているものとした。応援用具に下げ紐を備えたものは見られるが、更にこの下げ紐に他のものへの止め具を有するものはこれまでになかった。応援用具としては、複数本を叩き合わせて音を出すスティックやメガホンを好適例として上げる。上記他のものとは、本発明の用途品であって本発明の必須要件ではない。【０００８】  この点は重要な改良であり、（イ）持ち運びなどの際に手を空けておきたいような場合には、他のものに釣り下がるための上記下げ紐と止め具とによってこの応援用具を、例えば人体や被服に取り付けて下げるようにして持ち運ぶことが可能になる。止め具には袖を挟むクリップやベルト通しに掛けるフックやベルトに回して止める面ファスナーや手提げバッグの金属平面に着ける吸盤や磁石と言ったものを上げることが出来るが、この中ではクリップが、人体の腕や被服の袖やベルトやショルダーバッグの肩紐など、何にでも挟み付けて止めることが可能であるため好適である。しかしながら止め具はこれ等に限定されるものではなく、着脱に便利なものであれば任意採用が可能である。止め具は紐に対して固定的に設けても着脱自在に設けても良い。なお下げ紐には布紐やプラスチック製の鎖やボールチェーンなど、任意のものを採用し得る。【０００９】  また（ロ）他の応援用具との関わりを持たせて他の応援用具を使用する際の一助としたいような場合には、他のものを吊り下げるための上記下げ紐と止め具とによってこの応援用具２本で、例えば上述したバナーの両側を止めて、この応援用具２本を両腕で掲げるように使用することが可能になる。タオルなどをバナーとした場合であっても、容易にまたより高く掲げられるようになる。なおこの応援用具１本に例えばタオルを吊り下げでフラッグ的な用途にしたいのであれば、この応援用具に上記下げ紐と止め具との組を２セット取り付けるようにすれば良く、これもまた本発明の権利範囲内のものである。【００１０】  なお前記応援用具が叩き合わせて音を出すためのペットボトルに取り付ける柄部あるものとすることが出来る。柄部と言うのは手で握れるものであるから、ペットボトルのキャップ様のものとすることも可能である。何れにせよ上記柄部をペットボトルに取り付けたものは振り回して応援する簡単な用具となるし、これを２つ用意すればスティックとして使用可能となる。そしてペットボトルは持ち帰らなくてはならないものであるため、上記下げ紐と止め具とによる本発明は大いに有効である。
【発明の効果】
【００１１】  従来のスポーツ観戦等の応援用具は、（イ）持ち運びなどの際には手を塞いでしまうことが多かったり、（ロ）メガホンやスティックとしての本来の目的にしか使用することが出来ない、と言う問題があった。しかしながら本発明の他のものに釣り下がるための上記下げ紐と止め具とを有する応援用具によれば、（イ）の問題が極めて容易に解消される。また本発明の他のものを吊り下げるための上記下げ紐と止め具とを有する応援用具によれば、（ロ）の問題が極めて容易に解決される。なお他のものに釣り下がるのと他のものを吊り下げるのとをどちらも行い得るような下げ紐と止め具との組としても良く、この場合には（イ）と（ロ）との効果を奏する。
【図面の簡単な説明】
【００１２】
【図１】  実施例１の説明図である。
【図２】  実施例１の使用状態の説明図である。
【図３】  実施例２の説明図である。
【図４】  実施例２の使用状態の説明図である。
【図５】  実施例３の説明図である。
【図６】  実施例４の説明図である。
【発明を実施するための形態】
【実施例１】
【００１３】  図１及び図２は叩き合わせて音を出すためのスティック１であり、２本１組で用いる例である。スティック１には図１で右端部に相当する箇所に紐通し孔１０が開孔されておりここに下げ紐としてのボールチェーン１１が通されて輪状とされており、ボールチェーン１１には着脱具１３を介してサスペンダークリップ１２が取り付けられている。サスペンダークリップ１２はその内部を図示しないが、基体である裏板とこれに開閉される表板とこの両者の間に配置された挟持板とからなり、表板を裏板側に閉じた時に表板に押されて裏板との間で挟着対象物を挟み付け得るように構成されたものである。またサスペンダークリップ１２と着脱具１３とは着脱自在である。【００１４】  この実施例のスティック１によれば、サスペンダークリップ１２を用いて上記他のものである所の身体や被服などのいろいろな部位に付ける（釣り下がる）ことが出来るので、応援や携帯に便利であるとともに、極めてファッショナブルである。例えばサスペンダークリップ１２で袖口に付けておけば携帯に便利であり、即座に持ち替えて応援対応が可能であり、応援中に手を離しても床に落とすような心配がない。なおサスペンダークリップ１２を袖口に付けたまま、上記着脱具１３をサスペンダークリップ１２から外すことで、スティック１を袖口から自由にすることが出来る。【００１５】  またこの実施例のスティック１を２本使用して、図２は上記他のものである所のタオルをバナーに見立てたものであるが、このタオルバナー２の両端部分を、２本のスティック１のサスペンダークリップ１２で止めれば、２本のスティック１を横に引いて高く上げる（吊り下げる）ことで、タオルバナー２を目立つように掲げることが出来る。このようなタオルバナー２の掲げ方は本発明が為されるまではなかったものである。またこの使用法によれば、タオルを掲げない時には首に掛けておくことが出来るので、このままで両手が自由になる。またタオルを掲げずに首に掛けたままでも２本のスティック１を使用し得ると言う利点がある。なお例えば離れた場所にいる２人で用いて、何人にも跨るような長尺のバナーを掲げる使用法が可能である。
【実施例２】
【００１６】  図３及び図４はペットボトル４を再利用してその口４０に握柄３を取り付けることにより、振ったり叩いたりが出来るようになる応援用具である。握柄３には図３で左端部に相当する箇所に、ペットボトル４の口４０に捩じ込んで取り付けるための取り付け口３２が設けられている。また図３で右端部に相当する箇所には、握柄３を握って振り回した時に手から滑り抜けることがないように、抜け止め３０の膨らみが形成されている。この抜け止め３０の部分に紐通し孔３１が開孔されておりここに布製の紐３３が通されて輪状とされており、この紐３３にサスペンダークリップ３４が取り付けられている。【００１７】  従って、図４で表したように、握柄３をその取り付け口３２を以てペットボトル４の口４０に捻じ込んで固定することにより、握柄３を手で持ってペットボトル４のスティックを振って応援したり、掌で叩いて音を発生させたり、２本のペットボトル４を叩き合わせるような使用法が可能となる。【００１８】  特に携帯時などに、サスペンダークリップ３４を用いて身体や被服などのいろいろな部位に取り付けることが出来て便利である。なおペットボトル４を適正に捨てる場所があれば、本発明の握柄３だけをズボンやベルトやシャツやバッグにサスペンダークリップ３４で取り付けて、ファッショナブルに持ち帰ることが可能である。
【実施例３】
【００１９】  図５は応援用具としてのメガホン５であるが、スポーツチームのロゴやマスコットなどが印刷された印刷部５２を有する内筒５１の回りに透明な外筒５０が被せられて、これに吹き口５３が取り付けられたものである。内側にある印刷部５２が透明な外筒５０を透して美しく見える点がこのメガホン５の特長である。なお内筒５１は空洞であるから、吹き口５３を吹いて声援を贈ることが出来る。【００２０】  このようなメガホン５の吹き口５３には、図５で右端部に相当する箇所に紐通し孔５４が開孔されており、ここに布製の紐５５が通されており、この紐５５にフック５６が取り付けられている。このフック５６を用いてこのメガホン５をリュックサックのストラップなどに掛け止めておくことが出来る。
【実施例４】
【００２１】  図６はスポーツチームのロゴやマスコットなどが印刷された応援用具としてのフラッグ６を表す。このフラッグ６には手で掲げ持つための棒６０を有するが、この棒６０の下端部分に紐６１が捲回され接着剤で固定されて捲着部６２が設けられており、この紐６１の先端部にサスペンダークリップ６３が取り付けられている。【００２２】  またこのフラッグ６には束ね帯６４が付属しており、携帯時にはフラッグ６を棒６０に巻き付けた上で束ね帯６４を回してその面ファスナーメス６５に面ファスナーオス６６を接着させるようにして固定することが可能である。【００２３】  このようにして巻いたフラッグ６を、携帯時にはサスペンダークリップ６３を以て身体や衣服に付けて便利にかつファッショナブルに持ち運ぶことが出来る。
【産業上の利用可能性】
【００２４】  実施例の応援用具としてこれまでに、２本を叩き合わせて音を出すスティックや声援を贈るためのメガホンを好適例として上げたが、本発明は上述したような叩き合わせて音を出すための長尺なバルーンやポンポンなど多種多様なもの、あるいは例えばヌンチャク棒のような遊具、またこれから登場してくるであろう種々の応援用具にまで広く適用可能である。
【符号の説明】
【００２５】  １    スティック                    １０  紐通し孔
１１  ボールチェーン                １２  サスペンダークリップ
１３  着脱具                        ２    タオルバナー
３    握柄                          ３０  抜け止め
３１  紐通し孔                      ３２  取り付け口
３３  紐                            ３４  サスペンダークリップ
４    ペットボトル                  ４０  口
５    メガホン                      ５０  外筒
５１  内筒                          ５２  印刷部
５３  吹き口                        ５４  紐通し孔
５５  紐                            ５６  フック
６    フラッグ                      ６０  棒
６１  紐                            ６２  捲着部
６３  サスペンダークリップ          ６４  束ね帯
６５  面ファスナーメス              ６６  面ファスナーオス
【図１】
2016209496.tif 000003
【図２】
2016209496.tif 000004
【図３】
2016209496.tif 000005
【図４】
2016209496.tif 000006
【図５】
2016209496.tif 000007
【図６】
2016209496.tif 000008